(57)【特許請求の範囲】
【請求項１】
冷蔵庫本体の正面開口の一部又は全部を開閉可能な、両開き式の第１扉及び第２扉と、
前記第１扉に設けられた回転式シキリ部と、
前記第１扉に設けられた、第１の磁石を有する第１のガスケットと、
前記第２扉に設けられた、第２の磁石を有する第２のガスケットと、を備え、
前記第１扉及び第２扉の閉塞時に、前記回転式シキリ部が前記第１のガスケット及び第２のガスケットと接触する冷蔵庫であって、
前記冷蔵庫本体の正面開口の縁に、案内部材が設けられ、
前記回転式シキリ部は、磁性体を設けた正面部材と、背面部材と、天面部材と、を有し、
前記天面部材は、第１の磁気センサ及び第２の磁気センサを支持する支持部と、前記第１扉の開閉に応じて前記案内部材と嵌合することで前記回転式シキリ部の向きを回動させるレール部と、を有し、
前記第１及び第２扉の閉塞時は、
前記第２の磁気センサ、前記磁性体及び前記第２の磁石のそれぞれが、前記冷蔵庫本体の正面視で一部又は全部重なるだけでなく、
前記第１の磁気センサ、前記磁性体及び前記第１の磁石のそれぞれが、前記冷蔵庫本体の正面視で一部又は全部重なることを特徴とする冷蔵庫。
【請求項２】
前記回転式シキリ部は、前記正面部材の後方側にヒータと温度センサとを有することを特徴とする請求項１に記載の冷蔵庫。
【発明の詳細な説明】
【技術分野】
【０００１】
本発明は、冷蔵庫に関する。
【背景技術】
【０００２】
特許文献１記載の冷蔵庫は、パッキング材内部に磁石を設け、冷蔵庫の扉の開放を検知する磁気検知センサ１９を非磁性部材のカバー部材２０で覆っている（請求項１、段落００２６、図１，２）。
【先行技術文献】
【特許文献】
【０００３】
【特許文献１】特開２０１３−１９０１３３号公報
【発明の概要】
【発明が解決しようとする課題】
【０００４】
特許文献１は、仕切部材６の開口部５側から、仕切部材６の一部としてカバー部材２０が視認される可能性があり、意匠性に改善の余地がある。また、パッキング材１２（ガスケット）内部の磁石１７は、非磁性部材であるカバー部材２０には吸着しないため、扉１０と仕切部材６との接触（扉１０の閉状態）を保持するための吸着力が生じにくく、両者に隙間が生じて冷気が漏れる可能性がある。
【０００５】
カバー部材２０は、仕切６の厚み方向に組み込まれるように構成されている。このような組込を行う方法の一例は、カバー部材２０に爪等を設け、これを用いて仕切６に固定することが考えられる。上記のような冷気漏れを抑制する方法の一例としては、カバー部材２０を金属等の磁性体で構成することが考えられる。しかし、爪等を有する部品を金属等を含んで製造するには鋳型などが必要であり、比較的高コストになりやすい。このため、磁気検知センサ１９を収納するカバー部材２０について改善の余地がある。
【０００６】
また、特許文献１は、引き出し式扉１つの開閉を１つのセンサで検知しており、１つのセンサで２以上の扉の開閉を検知する方法は開示していない。
【課題を解決するための手段】
【０００７】
上記事情に鑑みてなされた本発明は、冷蔵庫本体の正面開口の一部又は全部を開閉可能な、両開き式の第１扉及び第２扉と、前記第１扉に設けられた回転式シキリ部と、前記第１扉に設けられた、第１の磁石を有する第１のガスケットと、前記第２扉に設けられた、第２の磁石を有する第２のガスケットと、を備え、前記第１扉及び第２扉の閉塞時に、前記回転式シキリ部が前記第１のガスケット及び第２のガスケットと接触する冷蔵庫であって、前記冷蔵庫本体の正面開口の縁に、案内部材が設けられ、前記回転式シキリ部は、磁性体を設けた正面部材と、背面部材と、天面部材と、を有し、前記天面部材は、第１の磁気センサ及び第２の磁気センサを支持する支持部と、前記第１扉の開閉に応じて前記案内部材と嵌合することで前記回転式シキリ部の向きを回動させるレール部と、を有し、前記第１及び第２扉の閉塞時は、前記第２の磁気センサ、前記磁性体及び前記第２の磁石のそれぞれが、前記冷蔵庫本体の正面視で一部又は全部重なるだけでなく、前記第１の磁気センサ、前記磁性体及び前記第１の磁石のそれぞれが、前記冷蔵庫本体の正面視で一部又は全部重なることを特徴とする。
【図面の簡単な説明】
【０００８】
【図１】実施例１に係る冷蔵庫の正面斜視図
【図２】図１の冷蔵室扉の部品構成説明図
【図３】左側冷蔵室扉に設けた回転式シキリ構成説明図
【図４】扉開放検知手段を設けた回転式シキリの構成説明図
【図５】左右の冷蔵室扉が閉状態の扉開放検知状況の説明図
【図６】左側冷蔵室扉が開状態の扉開放検知状況の説明図
【図７】右側冷蔵室扉が開状態の扉開放検知状況の説明図
【図８】ガスケット磁石と磁気検出センサをそれぞれの冷蔵室扉側に有する場合の説明図
【発明を実施するための形態】
【０００９】
以下、本発明の実施例について、添付の図面を参照しつつ説明する。同様の構成要素には同様の符号を付し、同様の説明は繰り返さない。
【実施例１】
【００１０】
図１は、本実施例に係る冷蔵庫本体１の正面斜視図である。
冷蔵庫本体１には、冷蔵室２，製氷室３，上段冷凍室４，冷凍室５，野菜室６が設けられて、各貯蔵室の開口を閉塞する扉がそれぞれ設けられている。上段冷凍室扉４ａは上段冷凍室４の開口を閉じる扉、製氷室扉３ａは製氷室３の開口を閉じる扉、冷凍室扉５ａは冷凍室５の開口を閉じる扉、野菜室扉６ａは野菜室６の開口を閉じる扉である。これらの扉はそれぞれ、冷蔵庫本体１の開口を仕切るシキリ部材に接触することで、各扉に対応する開口を閉塞する。各扉はシキリ部材との接触性を高め、その内部に磁石３５を備えるガスケット(不図示)を有している。ガスケットは、例えば各扉の外周縁に沿って設けることができる。
【００１１】
冷蔵室扉２ａ，２ｂは冷蔵室２の開口を閉じる扉である。左右の冷蔵室扉２ａ，２ｂが両端のヒンジ中央から両側に開く両開き式である。上段冷凍室扉３ａ，製氷室扉４ａ，冷凍室扉５ａ，野菜室扉６ａは引出し式の扉によって構成され、引出し扉とともに貯蔵室内の引出し容器が引出される。
【００１２】
図２は冷蔵室扉２ａ、２ｂとシキリ部材の例である回転式シキリ部材１１の構成図である。図３は回転式シキリ部材１１の構成説明図である。
【００１３】
以下、回転式シキリ部材１１は冷蔵室扉２ｂに備えられた状態で説明するが、左右対称の同構成の物を冷蔵室扉２ａに設けた場合でも同じ効果を得ることができる。回転式シキリ部材１１は、冷蔵室扉２ａ、２ｂが閉じているときに生じるこれら二部材間の隙間を埋める。これにより、回転式シキリ部材１１は冷蔵室２の冷気漏れを抑制する。
【００１４】
図３（Ｂ）に示すように、回転式シキリ部材１１は、断熱部品１５を中心側に有している。回転シキリ部材１１は、正面に設けられた正面部材１２、背面に設けられた背面部材１３、冷蔵庫扉２が開閉する開口の縁に備えた案内部材２１と嵌合する天面部品１４を有している。正面部材１２は、冷蔵室扉２ａ、２ｂに備えられたガスケットの磁石３５（例えば、図５（Ｂ）参照。）に吸着するように磁性体の金属を有している。正面部材１２の結露を抑制するために、正面部材１２と断熱部材１５の間には、正面部材１２の延在方向（図３中、上下方向）に沿ってヒータ（不図示）が設けられている。断熱部品１５は、例えばスチロフォームを用いることができる。
【００１５】
回転式シキリ部材１１は、冷蔵室扉２ｂに設けられている。
回転式シキリ部材１１は、冷蔵室扉２ｂの開閉動作中に、案内部材２１とレール１４ａの案内により回動する。冷蔵室扉２ｂが閉じている際には、正面部材１２が冷蔵室扉２ｂの回動中心に対して垂直な方向に向いているが、冷蔵室扉２ｂが開く際には、正面部材１２が冷蔵室扉２ｂの回動中心を向くように回動する。冷蔵室扉２ｂが閉まる際には、冷蔵室扉２ｂの回動中心に対して垂直な方向を向くように回動する。
【００１６】
そのため、回転式シキリ部材１１は冷蔵室扉２ａと干渉せずに冷蔵室扉２ｂの開放を行える。なお、回転式シキリ部材１１はバネで付勢されており、冷蔵室扉２ｂが開放中のときは、レール１４ａと案内部材２１により回動した状態、すなわち内側に倒れた状態を維持する。
【００１７】
図４は回転式シキリ部材１１に扉開放検知手段を設けた構成図で、（Ａ）は回転式シキリ部材１１の全体図、（Ｂ）は縦断面図である。図５〜７は冷蔵室の扉開放状態を示した図で、各（Ａ）は実際の冷蔵庫１の状態、各（Ｂ）は扉開放検知を説明する簡略図である。
【００１８】
天面部材１４は、レール１４ａ、後述する電子基板３４を支持するコ字状の支持部１４ｃ、正面部材１２の上側一面を突き当てる突き当て部１４ｂを有している。正面部材１２の下側一面も同様に突き当てられており、これにより正面部材１２を固定している。なお、正面部材１２は、突き当てに限らず、係止やネジ固定等、種々公知の方法により固定されても良い。なお、天面部材１４は、例えば樹脂材料で構成できる。
【００１９】
天面部材１４に支持部１４ｃを設けたことで、磁気検出センサ３２の支持が容易にできる。回転式シキリ部材１１の内部には、磁気検出センサ３２を搭載した電子基板３４が配されている。電子基板３４の一辺は支持部１４ｃによって支持されている。また、回転式シキリ部材１１の正面側は、正面部材１２によって覆われている。回転式シキリ部材１１の正面側、すなわち正面部材１２が一の部材で構成可能であるため、回転式シキリ部材１１の意匠性を高めることができる。
【００２０】
正面視において磁気検出センサ３２に重なる正面部材１２の部分には、金属等の磁性体を使用している。このため、磁気検出センサ３２の正面には磁石３５が吸着可能である。したがって、磁気検出センサ３２の正面に磁石を近づけると、この磁石により、冷蔵庫扉２の閉塞時における回転式シキリ部材１１との密着性を高めて、冷気漏れを抑制できる。
【００２１】
冷蔵室扉２の閉塞時には、冷蔵庫本体１の正面視において、磁石３５、正面部材１４及び磁気検出センサ３２のそれぞれ一部又は全部が重なる。すなわち、磁石３５、正面部材１４及び磁気検出センサ３２のすべてが正面視で重なる領域が少なくとも一点存在する。
【００２２】
また、正面部材１２に設けたコード状に延びるヒータに沿って、電子基板３４のコードを配置している。また、磁気検出センサ３２は、冷蔵室扉２ａが閉じているときに、冷蔵室扉２ａのガスケット３６に設けた磁石３５ａと一部又は全部が対向する位置に配されている。これにより、磁気検出センサ３２は冷蔵室扉２の開閉状態を検知できる。
【００２３】
次に、冷蔵室扉２ａ、２ｂの開閉の検知方法を説明する。
まず、図５に示すように、両冷蔵室扉２が閉まっているとき、回転式シキリ部材１１は図５（Ｂ）に示す状態である。右側冷蔵室扉２ａのガスケット磁石３５ａは、前後方向（図中、上下方向）に磁化している。このため、右側冷蔵室扉２ａのガスケット磁石３５ａによる磁気検出センサ３２への鎖交磁束は多い。磁気検出センサ３２は、磁束量が多い、すなわち冷蔵室扉２ａ，２ｂが閉じていると検知する。
【００２４】
回転シキリ部材１１は、冷蔵室扉２ｂ側を回動中心として取り付けられている。磁気検出センサ３２は、冷蔵室扉２ａに設けたガスケット磁石３５ａに対向している。
【００２５】
一方、図６に示すように、左側冷蔵室扉２ｂが開放しているとき、回転式シキリ部材１１は、案内部材２１とレール形状１４ａの案内により図６（Ｂ）に示すように冷蔵室扉２ｂの内側に倒れ、かつ、磁気検出センサ３２とガスケット磁石３５ａ間の距離が大きくなる。このため、右側冷蔵室扉２ａのガスケット磁石３５ａによる磁気検出センサ３２への鎖交磁束が少なくなる。
【００２６】
また、図７に示すように、右側冷蔵室扉２ａが開放しているとき、回転シキリ部材１１は、冷蔵室扉２ａ、２ｂが閉の場合と同様の方向を向いている。ガスケット磁石３５ａは磁気検出センサ３２から離れるため、磁気検出センサ３２に対する右側冷蔵室扉２ａのガスケット磁石３５ａからの鎖交磁束が少なくなる。
【００２７】
以上により、磁気検出センサ３２は、右側又は左側の冷蔵室扉２が開いているときに鎖交磁束の検知量が少なくなる。
【００２８】
以上のように、冷蔵室扉２ａ、２ｂが両方閉じている場合にのみ磁気検出センサ３２は比較的大きな鎖交磁束を検知し、どちらか片方の冷蔵室扉が開いている場合、磁気検出センサ３２は比較的小さな鎖交磁束を検知する又は鎖交磁束を検知しない。すなわち、１つの磁気検出センサ３２を用いて、２つの冷蔵室扉２ａ、２ｂの何れか一方又は両方が開いていること、及び、両方が閉じていることを検知できる。
【００２９】
このように、磁束量の違いを通じて冷蔵室扉２の開閉状態を検知することで、冷却制御及び庫内灯の制御、半ドア警告のブザー制御を適切に行える。
【００３０】
尚、冷蔵室扉２ａ、２ｂのどちらが開いているかを検知したい場合、図８に示すように、冷蔵室扉２が閉じているときに対向する位置関係で、回転式シキリ部材１１の冷蔵室扉２ｂ側に別の磁気検出センサ３２０と、冷蔵室扉２ｂに磁石３５ｂを、配すればよい。このとき、両冷蔵室扉が閉じられている場合、磁気検出センサ３２，３２０に鎖交する磁束が比較的大きい。左側冷蔵室扉２ｂのみが開放されている場合、磁気検出センサ３２に鎖交する磁束が比較的小さい。このとき、磁石３５ｂの磁化方向は、冷蔵室扉２ｂの回動中心を向くため、磁気検出センサ３２０に鎖交する磁束も比較的小さくなる。一方、右側冷蔵室扉２ａのみが開放されている場合、磁気検出センサ３２０に鎖交する磁束が比較的小さく、磁気検出センサ３２０に鎖交する磁束は比較的大きい。
【００３１】
なお、電子基板３４に温度センサを搭載してもよい。温度センサにより正面部材１２の温度を検知してヒータの制御を行うことで、省エネ性を向上できる。また、ヒータ用と基板３４用の配線をまとめることで、組立性を向上できる。このとき、正面部材１２は金属を有しているため、比較的熱伝導が良好である。このため、温度センサによる検知温度の精度が高まり、効果的な制御が可能になる。さらに、電子基板３４は、天面部材１４の支持部１４ｃによって支持されているため、回転式シキリ部材１１の上端側に位置する。このため、ヒータを配する際に、電子基板３４が邪魔にならない。
【００３２】
以上、ガスケットと磁気検出センサ３２の間のシキリ部材を磁性体にする例として、回転式シキリ部材１１を説明したが、同様の構成を引き出し式の扉の閉塞時に、引き出し式扉のガスケットに接触するシキリ部材に適用可能である。この際、シキリ部材は、冷蔵庫本体１の正面開口の縁である。
【符号の説明】
【００３３】
１  冷蔵庫本体
２  冷蔵室
２ａ  右側冷蔵室扉
２ｂ  左側冷蔵室扉
３    製氷室
３ａ  製氷室扉
４    上段冷凍室
４ａ  上段冷凍室扉
５    下段冷凍室
５ａ  下段冷凍室扉
６    野菜室
６ａ  野菜室扉
１１  回転式シキリ部材
１２  シキリ正面構成部品
１３  シキリ背面構成部品
１４  シキリ天面構成部品
１４ａ  シキリ動作案内形状
１５  シキリ断熱部品
２１  シキリ案内部品
３１  磁石
３１ａ  右側冷蔵室扉に設けた磁石
３１ｂ  左側冷蔵室扉に設けた磁石
３２，３２０  磁気検出センサ
３３  基板ケース
３４  センサ搭載基板
３５ａ  右側冷蔵室扉のガスケット磁石
３５ｂ  左側冷蔵室扉のガスケット磁石
３６ｂ  左側冷蔵室扉のガスケット
【図１】
0006334418.tif 000002
【図２】
0006334418.tif 000003
【図３】
0006334418.tif 000004
【図４】
0006334418.tif 000005
【図５】
0006334418.tif 000006
【図６】
0006334418.tif 000007
【図７】
0006334418.tif 000008
【図８】
0006334418.tif 000009